(57)【要約】【課題】機械読取コードを用いた決済を行う場合において、視認性を確保しつつ、利便性を向上させることができる決済端末を提供する。【解決手段】入力部が設けられた第１面と、表示部が設けられた第２面と、を有し、前記第１面及び第２面は、互いに対向しないように、かつ、互いに傾斜して配され、前記第１面の上下方向と前記第２面の上下方向とが、互いに一致する。【選択図】図１
2020154781.tif 000002
【特許請求の範囲】
【請求項１】
入力部が設けられた第１面と、表示部が設けられた第２面と、を有し、
前記第１面及び第２面は、互いに対向しないように、かつ、互いに傾斜して配され、
前記第１面の上下方向と前記第２面の上下方向とが、互いに一致する
決済端末。
【請求項２】
前記第１面を含む第１部位と、
前記第２面を含む第２部位と、
前記第１部位及び前記第２部位を互いに回動可能に連結する回動軸と、
を備える請求項１記載の決済端末。
【請求項３】
前記第１面及び前記第２面が互いに逆に向くように前記第１部位及び前記第２部位が互いに重ねて配される折り畳み位置から、前記第１部位及び前記第２部位を互いに開いたときの前記第１面と前記第２面とがなす角度が、前記第１面と前記第２面が向く方向が互いに一致する際の角度よりも小さくなるように、前記第１部位及び前記第２部位の相対的な回動を規制する規制部
を備える請求項２記載の決済端末。
【発明の詳細な説明】
【技術分野】
【０００１】
本発明は、決済端末に関する。
【背景技術】
【０００２】
バーコードや二次元コード等の機械読取コードを用いた決済方式が利用されている。例えば、店舗側において、支払い対象の商品毎の機械読取コードを印刷しておき、ユーザが商品を購入する際、店舗側は、印刷された機械読取コードのうち、支払い対象の商品の機械読取コードを特定し、ユーザに提示する。ユーザは、提示された機械読取コードを自身が所有する携帯電話やスマートフォン等の携帯端末のカメラ機能を利用して撮影する。これにより、機械読取コードに対応する商品の金額が、携帯端末に関連づけられた銀行口座から引き落とされる処理が行われ、ユーザから店舗への支払いをすることができる。
また、店舗側において印刷された機械読取コードを提示するのではなく、スマートフォンの画面に機械読取コードを表示させる方式もある。この場合、ユーザは、店側のスマートフォンの画面に表示された機械読取コードを携帯端末のカメラ機能によって撮影する。
【０００３】
この方式において、ユーザは、店側のスマートフォンの表示画面を撮影し易くするためには、当該表示画面の視認性がよい方が好ましい。表示画面の視認性を向上させることができる端末装置がある（例えば、特許文献１参照）。
一方、店舗において決済を行う場合、決済に用いられるスマートフォンは、レジカウンター（レジ台）に設置される場合がある。卓上に載置されることを想定した端末装置も考案されている（例えば、特許文献２参照）。
【先行技術文献】
【特許文献】
【０００４】
【特許文献１】特開２００１−２９２２１７号公報
【特許文献２】特開平０５−２４１６８２号公報
【発明の概要】
【発明が解決しようとする課題】
【０００５】
しかしながら、機械読取コードを表示させる場合、決済金額を入力し、その金額に応じた機械読取コードを表示させるためには、操作入力をする必要がある。このような場合、特許文献１に記載された端末装置では、スタンド部を所定の角度に保持した状態において金額を入力しようとすると、端末装置の自立状態が不安定になり、場合によっては端末装置が転倒してしまう。また、店側の担当者が金額を入力して機械読取コードを表示した後、端末装置の表示画面がユーザ側を向くように向きを調整する必要があり、利便性が悪い。
特許文献２に記載された端末装置では、文字を入力したとしても端末装置を安定的に載置しておくことができるが、入力操作が終了した後、表示画面をユーザに見せる場合には、端末装置の表示画面がユーザ側を向くように向きを調整する必要があり、利便性が悪い。
そして、特許文献１及び特許文献２はいずれも、店舗側の担当者とユーザとの二者が利用することは想定されたものではない。
【０００６】
本発明は、このような事情に鑑みてなされたもので、その目的は、機械読取コードを用いた決済を行う場合において、視認性を確保しつつ、利便性を向上させることができる決済端末を提供することにある。
【課題を解決するための手段】
【０００７】
上述した課題を解決するために、本発明における決済端末の一態様は、入力部が設けられた第１の面と、表示部が設けられた第２の面と、を有し、前記第１の面及び第２の面は、互いに対向しないように、かつ、互いに傾斜して配され、前記第１の面の上下方向と前記第２の面の上下方向とが、互いに一致する。
【発明の効果】
【０００８】
以上説明したように、この発明によれば、機械読取コードを用いた決済を行う場合において、視認性を確保しつつ、利便性を向上させることができる。店舗側の担当者にとっては、機械読取コードを生成するための入力操作がし易く、また、端末装置の向きを変更する必要がない。ユーザにとっては、表示画面の視認性がよい。
【図面の簡単な説明】
【０００９】
【図１】この発明の一実施形態による決済端末１０の構成を示す斜視図である。
【図２】第１部位１１０を正面からみた外観図である。
【図３】第２部位１５０を正面からみた外観図である。
【図４】展開した状態における決済端末１０を側面側から見た図である。
【図５】折り畳んだ状態の決済端末１０を側面側から見た図である。
【図６】この発明の一実施形態による決済端末１０を用いた決済システム１の構成を示す概略構成図である。
【図７】決済端末１０の機能構成を説明する機能ブロック図である。
【発明を実施するための形態】
【００１０】
以下、本発明の一実施形態による決済端末について図面を参照して説明する。
図１は、この発明の一実施形態による決済端末１０の構成を示す斜視図、図２は、第１部位１１０を正面からみた外観図、図３は、第２部位１５０を正面からみた外観図である。まず、これら図１から図３を用いて決済端末１０について説明する。
決済端末１０は、第１部位１１０と、第２部位１５０と、回動部１８０とを有する。第１部位１１０は、第１面１１１を含む。第１面１１１には、入力部１２１と第１表示部１２２が設けられる。第２部位１５０は、第２面１５１を含む。第２面１５１には、第２表示部１６１が設けられる。第１面１１１及び第２面１５１は、互いに対向しないように、かつ、互いに傾斜して配される。回動部１８０は、第１部位１１０及び第２部位１５０を互いに回動可能に連結する。図１で、第１部位１１０と第２部位１５０をお互いに回動させることで、決済端末１０が展開した状態が図示されている。
【００１１】
ここでは、第１部位１１０のうち、回動部１８０に隣接する上端部１１５がある方を上とし、回動部１８０から離れた下端部１１６がある方を下とする。
また、第２部位１５０のうち、回動部１８０に隣接する上端部１５５がある方を上とし、回動部１８０から離れた下端部１５６がある方を下とする。
図１では、第１面１１１の上下方向Ｄ１と第２面１５１の上下方向Ｄ２とが、互いに一致する。
【００１２】
決済端末１０は、展開された状態において、例えば、店舗側の担当者とユーザ（例えば商品またはサービスの購入をする者）とが対面形式で決済を行う際に利用される。決済端末１０が店舗内において利用される場合、例えば、レジカウンターを挟んで店舗側の担当者とユーザとが対面形式で決済を行う場合に用いることができる。この場合、決済端末１０は、レジカウンターに載置される。この場合、第１面１１１が店舗側の担当者に向くように位置や角度が調整される。これにより、第２面１５１がユーザ側に向くようになっている。
【００１３】
第１面１１１に設けた、入力部１２１には、例えばテンキー等が配置されている。入力部１２１は、店舗側の担当者によって、決済を行う金額を表す決済金額が操作入力される。第１表示部１２２は、入力された金額を表示する。
金額が操作入力された後、入力部１２１のうち、金額を確定させる確定ボタン１２１ａが押下されると、決済金額が確定され、決済金額等の情報が機械読取コード発行装置に送信される。
入力部１２１及び第１表示部１２２の上下方向は、互いに一致し、かつ、第１面１１１の上下方向Ｄ１に対しても一致している。
そのため、店舗側の担当者は、決済端末１０をレジカウンター等に載置した際に、入力部１２１から金額入力をする場合であっても、入力部１２１の上下方向が正しい向きになっているため、入力操作がし易い。
【００１４】
第２面１５１に設けた第２表示部１６１の上下方向は、第２面１５１の上下方向Ｄ２に対して一致している。
第２表示部１６１は、入力部１２１によって入力された決済金額に対応した機械読取コード（例えば二次元バーコード）が、決済端末１０の通信機能によって機械読取コード発行装置から受信されると、当該機械読取コードを表示する。
機械読取コードは、商品またはサービスの購入に対応して決済用として発行される情報である。
図３において、第２表示部１６１には、決済金額（符号１６５）と、機械読取コード（符号１６６）が表示された場合が図示されている。ユーザは、レジカウンター等に載置された決済端末１０を見たとき、第２面１５１を正面側から見ることができ、かつ、第２表示部１６１の上下方向を正しい向きで見ることができるため、視認し易い。
【００１５】
従来であれば、決済端末の機能が搭載されたスマートフォンを用いて決済を行う場合がある。このような場合、スマートフォンのタッチパネルの画面上に機械読取コードを表示し、ユーザの端末装置のカメラ機能で機械読取コードを撮影する。しかし、この場合、店舗側の担当者は、機械読取コードを表示させた状態のスマートフォンを持ち上げて、ユーザが端末装置で撮影し易い角度になる位置に維持する必要がある。姿勢を維持できない場合には、ユーザの端末装置にとっては、相対的に被写体が微妙に動いていることとなり、機械読取コードを認識するまでの時間が長引いてしまう。
【００１６】
この決済端末１０では、レジカウンター等の上に載置した状態で、店舗側の担当者が第１面１１１側から決済金額を入力することができ、決済金額が入力されたことに応じて第２面１５１側に機械読取コードが表示される。そのため、ユーザはその機械読取コードをカメラで撮影することができるため、ユーザが機械読取コードを撮影するにあたり、決済端末１０をレジカウンターに載置したままで撮影することができ、決済端末１０の向きを変える必要がない。このような決済端末１０は、対面形式に特に有効である。さらに、第２表示部１６１には、機械読取コードを表示する際に、決済金額も一緒に表示されるため、ユーザは、決済金額が正しいことを確認した上で機械読取コードを読み取ることができる。
【００１７】
また、決済端末１０は、持ち運び可能であるため、レジカウンター上で利用するだけでなく、他の場所に持参して利用することも可能である。
例えば店舗が、飲食店である場合には、店内に配置され顧客が案内されたテーブルにおいて利用することもできる。また、店舗が宅配等のサービスを実施している場合、店舗外（宅配先）において利用することもできる。この場合、宅配先にある何らかの台の上に決済端末１０を載置してもよいし、店舗側の担当者が決済端末１０を把持あるいは手の平の上に載せて使用することもできる。
このような決済端末１０は、１つの店舗に１つ設置されるようにしてもよいし、１つの店舗に複数設置されるようにしてもよい。
【００１８】
また、ここでいう店舗は、決済端末１０を利用した決済サービスが導入された施設である。この店舗は、例えば、小売店、飲食店、チケット等の販売所等である。ここで、店舗は、商品の販売やサービスの提供の少なくともいずれか１つを目的とした施設に限られるものではなく、少なくとも商品の販売やサービスの提供が可能な施設であればよい。例えば、複数店舗が収容された複合商業施設やテーマパークなどの施設であってもよい。
【００１９】
図４は、展開した状態における決済端末１０を側面側から見た図である。
下端部１１６において第１面１１１と反対側の面には、底部１２３が設けられている。
下端部１５６において第２面１５１と反対側の面には、底部１６３が設けられている。
底部１２３、底部１６３は、それぞれ、決済端末１０が展開された状態において載置面１９１に載置されたとき、載置面１９１に面で接触することで、決済端末１０を安定的に載置面１９１に載置することができる。なお、底部１２３、底部１６３には、ゴム等の部材を設けることで、滑り止めや防振をすることができる。
決済端末１０を展開させた状態において、第１面１１１は、載置面１９１に対して角度θ１となるように傾斜している。この角度θ１は、０°＜θ１≦９０°に設定される。
決済端末１０を展開させた状態において、第２面１５１は、載置面１９１に対して角度θ２となるように傾斜している。この角度θ２は、０°＜θ２≦９０°に設定される。
角度θ１と角度θ２は、一致していてもよいし、異なっていてもよい。
【００２０】
第１面１１１が載置面１９１に対して角度θ１となる位置で載置されるため、店舗側担当者は、第１面１１１が載置面１９１に対して平行するように配置される場合に比べて、入力部１２１及び第１表示部１２２を、真正面に近い位置から見ることができる。そのため、第１表示部１２２が例えば、液晶表示装置であったとしても、視野角の範囲から表示面を視認することも可能である。
【００２１】
また、第２面１５１が載置面１９１に対して角度θ２となる位置で載置されるため、ユーザは、第２面１５１が載置面１９１に対して平行するように配置される場合に比べて、第２表示部１６１を、真正面に近い位置から見ることができる。そのため、第２表示部１６１が例えば、液晶表示装置であったとしても、視野角の範囲から表示面を視認することも可能である。さらに、ユーザは、自身が所有するスマートフォン等の端末装置のカメラ機能によって、第２表示部１６１に表示された機械読取コードを撮影する場合であっても、視認性がよい状態でカメラによって撮影することができるので、第２表示部１６１に対するカメラの位置や角度の調整がし易く、また、表示された機械読取コードの色や明るさが良い状態において撮影ができるため、読み取りミスを低減させることができる。
【００２２】
決済端末１０を展開させた状態において、第１面１１１と第２面１５１とがなす角度θａは、０°≦θａ＜１８０°に設定することができ、第１面１１１と第２面１５１が向く方向が互いに一致する際の角度（例えば１８０°）よりも小さい。
【００２３】
また、決済端末１０を展開させた状態において、第１面１１１に対する第２面１５１の角度θｂは、１８０°＜θｂ≦３６０°であり、展開をした状態においては、第１面１１１と第２面１５１は、互いに傾斜する。
【００２４】
このように、載置面１９１に対して、第１面１１１と第２面１５１が傾斜するように載置することが可能であるため、店舗側の担当者にとって第１面１１１が視認し易い状況と、ユーザにとって第２面１５１が視認し易い状況とを両立させることができる。
さらに、第１面１１１が角度θ１であり、第２面１５１が角度θ２であり、互いに傾斜している場合には、店舗側の担当者は、第２面１５１をのぞき込むような姿勢をとることで、第２面１５１の表示状態を確認することも可能である。例えば、店舗側の担当者は、決済金額を入力した後、機械読取コードが正常に表示されているか否かを確認した上で、ユーザに対し、端末装置での撮影を促すことができる。さらに、ユーザは、第１面１１１をのぞき込むような姿勢をとることで、第１面１１１の表示状態や操作状態を確認することも可能である。そのため、相手側の画面が正しく表示されているかの確認や、操作状況等を確認することも可能になっている。このように、店舗側の担当者とユーザとにとって、決済状況の確認を双方で行うことも可能である。
【００２５】
また、従来のように、決済端末の機能が搭載されたスマートフォンを用いて決済を行う場合、店舗側の担当者は、機械読取コードを表示させた状態のスマートフォンをレジカウンターに載置する。この場合、ユーザは、周囲の環境によっては、このスマートフォンの画面に対する反射光等が到来することで表示内容が視認しにくい場合がある。さらに、スマートフォンの画面をユーザの端末装置のカメラで撮影する場合には、スマートフォンの真上側に端末装置を保持しなければならないため、ユーザは、端末装置の撮影範囲に機械読取コードが正しく納められているかを確認するためには、レジカウンターの上側に乗り出すような姿勢にしつつ撮影する必要があり、撮影がしにくい。
しかし、上述の決済端末１０では、載置面１９１に対して角度θ２となるように載置されるため、ユーザは、機械読取コードを撮影するにあたり、レジカウンターの上からのぞき込むような姿勢を取る必要がなく、第２表示部１６１を視認し易い。また、ユーザ自身の前に端末装置をかざすことで、第２表示部１６１の画面を正面に捉えることができ撮影がしやすい。さらに、第２表示部１６１の画面を正面に捉えることができるため、端末装置の撮影範囲に機械読取コードが正しく納められているかの確認もし易い。
【００２６】
また、上述の決済端末１０は、第１部位１１０の一部と第２部位１５０の一部との両方の部位によってそれぞれ載置面１９１に当接するように載置することができるため、入力部１２１から操作入力に伴って応力が加えられても、底部１６３においても当接されていることから転倒しにくく、安定性がよい。
また、角度θａが、鈍角（９０°よりも大きな角度）となるように設定されている場合には、操作入力に伴う応力が載置面１９１側に向きやすくなるため、より安定性が増す。
【００２７】
図５は、折り畳んだ状態の決済端末１０を側面側から見た図である。
折り畳み時において、第１面１１１と第２面１５１は、互いに表裏をなして外側に位置する。また、折り畳み時において、第１面１１１と第２面１５１の上下方向は、それぞれ一致している。
このように、折り畳んだ状態において、角度θ１とθ２は９０°、θａは０°、θｂは３６０°の状態とすることも可能である。
【００２８】
また、折り畳んだ状態において、第１面１１１と第２面１５１が外側を向くようになっているため、折り畳んだ状態で決済を行うことも可能である。例えば屋外では、展開する操作をしにくい状況（例えば、手に配達物を持っている等）もあるため、展開することなく、決済を行うこともできる。
【００２９】
なお、折り畳んだ状態において第１面１１１と第２面１５１が向かい合うようにして（内側に）折り畳む構造であってもよいが、この場合、図１、図４に例示したように展開したあと、決済金額の操作入力時に、決済端末１０を折り畳む方向に力が働き、平坦になってしまわないように第１部位１１０及び第２部位１５０を保持する保持機構を設ける必要がある。また、折り畳む時には保持機構による保持を解除してから折り畳む必要がある。上述の実施形態によれば、第１面１１１と第２面１５１が外側を向くように折り畳むため、第１面１１１と第２面１５１が向かい合うようにして折り畳む場合に比べて構成が複雑になることがない。
【００３０】
ここで、第１部位１１０の上端部１１５には、端面１１８が設けられている。
第２部位１５０の上端部１１５には、端面１５８が設けられている。
この端面１１８と端面１５８とが規制部として機能する。
すなわち、端面１１８と端面１５８は、折り畳み時において離間している。決済端末１０を展開する際、第１部位１１０と第２部位１５０は、回動部１８０を基準としてお互いに回動させることで端面１１８と端面１５８との距離は近づく。そして、さらに回動させると、端面１１８と端面１５８とが当接する（図４参照）。端面１１８と端面１５８とが当接することで、第１部位１１０と第２部位１５０は、それ以上は回動されないように角度θａの状態で規制される。
このように、端面１１８と端面１５８は、第１面１１１及び前記第２面１５１が互いに逆に向くように第１部位１１０及び第２部位１５０が互いに重ねて配される折り畳み位置（図５の状態）から、第１部位１１０及び第２部位１５０を互いに開いたとき（図４の状態）の第１面１１１と第２面１５１とがなす角度が、第１面１１１と第２面１５１が向く方向が互いに一致する際の角度よりも小さくなるように、第１部位１１０及び第２部位１５０の相対的な回動を規制する。
【００３１】
端面１１８と端面１５８とで規制することができるため、折り畳み可能な方向は、第１面１１１と第２面１５１が、互いに表裏をなして外側に位置するような方向に制限することができる。
また、端面１１８と端面１５８とで規制することができるため、入力部１２１に対して操作入力されることによって応力が加えられたとしても、角度θａ以上に開くようなことがないため、入力操作時に、第１面１１１が向く方向と第２面１５１が向く方向が同じ向きになってしまう（平坦になるようにつぶれてしまう）ことを防止することができる。
【００３２】
なお、上述した実施形態において、上端部１１５と上端部１５５との間に、載置面に対して平行方向となるような第３部位が設けられていてもよい。
【００３３】
図６は、この発明の一実施形態による決済端末１０を用いた決済システム１の構成を示す概略構成図である。
決済システム１は、決済端末１０、ユーザ端末２０、ネットワーク３０、決済情報収集サーバ４０、データベースサーバ５０、ブランドサーバ６０ａ、ブランドサーバ６０ｂ、ブランドサーバ６０ｃ（以下、特に識別しない場合には単にブランドサーバ６０と称する）、プリペイド口座サーバ８０ａ、クレジット口座サーバ８０ｂ、銀行口座サーバ８０ｃ、店舗側管理端末９０とを含んで構成される。
【００３４】
決済システム１において、機械読取コードを発行する機械読取コード発行機能（機械読取コード発行装置）は、例えば、決済を行う対象のブランドのブランドサーバ６０に設けられる。
【００３５】
図７は、決済端末１０の機能構成を説明する機能ブロック図である。
決済端末１０は、通信部１０１、制御部１０２、記憶部１０３、電源部１０４、入力部１２１、第１表示部１２２、第２表示部１６１を含んで構成される。この決済端末１０には、決済端末１０を個別に識別する決済端末識別情報が割り当てられている。
【００３６】
通信部１０１は、外部の各機器と通信を行なう。また、通信部１０１は、入力部１２１から決済金額が入力され、機械読取コードの発行指示が入力部１２１から入力（例えば、確定ボタン１２１ａの押下）されると、機械読取コード発行装置に機械読取コードの発行要求を送信し、機械読取コード発行装置から送信される機械読取コードを受信する。
この機械読取コードには、種々の情報を含むようにすることができる。例えば、機械読取コードには、決済する金額である決済金額、ユーザ端末２０を利用するユーザを識別するユーザ識別情報、決済端末１０が設置された店舗を識別する店舗識別情報、又は決済端末１０を識別する決済端末識別情報、決済するブランドを識別するブランド識別情報、決済処理を個別に識別する決済識別情報などを含むようにすることができるが、これらの情報の全てを必ずしも用いる必要はなく、決済方式に応じて必要な情報が含まれていればよい。
【００３７】
通信部１０１と機械読取コード発行装置との間の通信は、例えば、ＮＢ（Ｎａｒｒｏｗ  Ｂａｎｄ、狭帯域）−ＩｏＴ（Ｉｎｔｅｒｎｅｔ  ｏｆ  Ｔｈｉｎｇｓ）または、ＬＴＥ（Ｌｏｎｇ  Ｔｅｒｍ  Ｅｖｏｌｕｔｉｏｎ）  Ｃａｔ−Ｍ１（ＬＴＥカテゴリーＭ１）の規格に則って、行われる。ＮＢ−ＩｏＴやＬＴＥカテゴリーＭ１は、スマートフォン、携帯電話等で使用される一般的な通信回線と比較して、通信に使用される周波数帯域が狭く通信速度が低速ではあるが、その分、通信コストが他の通信サービスよりも安い（Ｗｉ−ｆｉやＬＰＷＡ（Ｌｏｗ  Ｐｏｗｅｒ  Ｗｉｄｅ  Ａｒｅａ）等は、ＮＢ−ＩｏＴに比べて高コストである）。例えば、従来のようにスマートフォンを決済端末として用いる方式においては、ＮＢ−ＩｏＴ等の通信方式を利用することができないため、通信コスト（ランニングコスト等）を抑えることができない。そのため、ＮＢ−ＩｏＴやＬＴＥカテゴリーＭ１を適用することで、一般的なスマートフォンを用いた決済端末に比べて通信コストを抑えることができる。これにより、店舗において決済端末１０を導入し易くなるメリットがある。
【００３８】
また、ＮＢ−ＩｏＴは、ＬＴＥ（Ｌｏｎｇ  Ｔｅｒｍ  Ｅｖｏｌｕｔｉｏｎ）系の規格であり、日本において通信エリア外にとなる地域が少ないため、たいていの店舗において通信可能である。また、ゲートウェイも不要である。なお、通信部１０１と機械読取コード発行装置との間の通信は、ＮＢ−ＩｏＴ、ＬＴＥカテゴリーＭ１に限定されることはなく、コストや通信可能エリアを考慮して導入しやすいものであれば、これら以外の規格であってもよい。また、ＮＢ−ＩｏＴは、低消費電力であるため、電池駆動でも長期間に渡って利用可能である。
なお、通信部１０１と決済情報収集サーバ４０との間の通信も、ＮＢ−ＩｏＴやＬＴＥカテゴリーＭ１の規格に則って通信してもよい。
【００３９】
制御部１０２は、決済端末１０内の各部を制御する。制御部１０２は、通信部１０１を介して、ブランドサーバ６０等の機械読取コード発行装置に機械読取コードの発行を要求する。また、制御部１０２は、入力部１２１に入力された決済金額に応じた機械読取コードを第２表示部１６１によって表示させる。
ここで、機械読取コード発行装置から受信する機械読取コードは、ビットマップデータの形式であってもよい。この場合、機械読取コードのデータ量を低減させることができるため通信量を抑えることができ、上述したようなＮＢ−ＩｏＴやＬＴＥカテゴリーＭ１の規格を適用することが可能であり、通信時間が長引いてしまうことない。
なお、制御部１０２は、例えばＣＰＵ（中央処理装置）等の処理装置若しくは専用の電子回路で構成されてよい。
【００４０】
記憶部１０３は、決済処理に用いられる各種情報を記憶することができる。
記憶部１０３は、記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＡＭ（Ｒａｎｄｏｍ  Ａｃｃｅｓｓ  ｒｅａｄ／ｗｒｉｔｅ  Ｍｅｍｏｒｙ）、ＲＯＭ（Ｒｅａｄ  Ｏｎｌｙ  Ｍｅｍｏｒｙ）、またはこれらの記憶媒体の任意の組み合わせによって構成される。
この記憶部１０３は、例えば、不揮発性メモリを用いることができる。
【００４１】
電源部１０４は、決済端末１０の各部に電源を供給する。この電源部１０４に用いられる電源としては、例えば、電池（乾電池または充電池等）である。電池を用いることで、電源コードを接続する必要がないので、店舗内の任意の場所や、宅配先において決済端末１０を利用することができる。また、電源部１０４として電池を用いているため、残量が少なくなった場合には、店舗側の担当者が簡単に交換することができる。
【００４２】
入力部１２１は、店舗側の担当者の操作入力に応じて決済金額を入力する。この入力部１２１は、テンキーであってもよいし、タッチパネルであってもよい。
【００４３】
第１表示部１２２は、入力部１２１から入力された金額や各種情報を表示する。この第１表示部１２２は、液晶表示装置等を用いることができる。
第２表示部１６１は、各種情報を表示する。例えば、第２表示部１６１は、決済金額、機械読取コード等を表示することができ、決済が完了した場合には、制御部１０２からの指示に応じて「ご利用ありがとうございました」、「決済が完了致しました」等のメッセージを表示する。
【００４４】
ユーザ端末２０は、例えば、スマートフォン、携帯電話等の端末装置であり、ユーザによって携帯される。ユーザ端末２０は、決済端末１０やブランドサーバ６０との間での情報の受け渡しを行うことで決済を行う決済機能を備える。
ユーザ端末２０には、ユーザ識別情報が割り当てられている。このユーザ識別情報は、決済システム１の利用を開始する際にユーザ登録をすることで割り当てられる。このユーザ識別情報は、ユーザを個別に識別することができればよいため、ユーザ端末２０の電話番号、ユーザ端末２０の個体識別番号等を用いてもよい。
ユーザ端末２０は、決済端末１０に表示された機械読取コード（例えば、二次元バーコード）を撮像し、撮像結果から機械読取コードを得て、この機械読取コードを用いた決済処理を行う。
ユーザ端末２０は、例えば、決済情報収集サーバ４０を介して、ブランドサーバ６０またはブランドサーバ７０に対して、店舗側とユーザ側とで確定させた決済金額、及び機械読取コードを解析することにより得られる店舗識別情報又は決済端末識別情報を送信する。これにより、ユーザ端末２０は、決済するブランドに対応したブランドサーバ６０を介して、予め登録されたユーザのチャージポイントまたはチャージされた現金（プリペイド口座サーバ８０ａ）、クレジット口座（クレジット口座サーバ８０ｂ）または銀行口座（銀行口座サーバ８０ｃ）のいずれかを利用した決済を行なうことができる。
ユーザ端末２０は、各種情報を表示する表示画面や、各種情報を入力する入力部、通信部等も有する。
【００４５】
決済情報収集サーバ４０は、ユーザ端末２０から送信される情報に基づいて、ユーザ端末２０とブランドサーバ６０との間で通信を行い決済処理を行なう。決済情報収集サーバ４０は、決済の履歴をデータベースサーバ５０に記憶する。
決済情報収集サーバ４０は、決済を行う際、ユーザ端末２０とブランドサーバ６０との間で通信することで、ユーザ端末２０がいずれのブランドサーバ６０を利用した決済を行ったとしても、決済システム１において行われる決済をユーザ毎に、また、店舗毎（あるいは決済端末１０毎）に決済の利用状況を把握できる。店舗側の担当者は、店舗側管理端末９０を利用してデータベースサーバ５０にアクセスすることで、自店舗が決済処理に用いる決済端末１０における決済の履歴を閲覧し、売り上げ管理をすることができる。
【００４６】
このような決済システム１においては、決済端末１０は、機械読取コードの生成に必要な情報（例えば決済金額）が店舗側の担当者によって入力されると、入力された金額を第１表示部１２２に表示する。次に決済端末１０は、店舗側の担当者によって金額が確認され機械読取コードの生成依頼の指示が入力部１２１から入力されると、決済を行う対象のブランドに対応するブランドサーバ６０に機械読取コードの生成に必要な情報を送信し、ブランドサーバ６０から送信される機械読取コードを受信する。決済端末１０は、受信した機械読取コードを第２表示部１６１に表示する。
ユーザ端末２０は、第２表示部１６１に表示された機械読取コードを撮像し、機械読取コードに含まれる情報等に基づく決済受入情報を決済する対象のブランドに対応するブランドサーバ６０に決済情報収集サーバ４０を介して送信する。この決済処理に応じて決済が完了すると、決済完了通知がブランドサーバ６０からユーザ端末２０へ送信されるとともに、決済完了通知がブランドサーバ６０から決済情報収集サーバ４０を経由して決済端末１０へ送信される。
決済端末１０は、決済完了通知を受信すると、第２表示部１６１に「ご利用ありがとうございました」のメッセージを表示する。決済端末１０は、第１表示部１２２に、決済が完了したことを示す情報を表示してもよい。これにより、店舗側の担当者は、決済が完了したことを、第１面１１１側を見るだけで把握することができる。
【００４７】
このような機械読取コードは、決済の都度、新たに生成される。そのため、決済金額や支払い先の店舗等を正しく特定した上で決済を行うことができるため、セキュリティも向上させることができる。
【００４８】
以上、この発明の実施形態について図面を参照して詳述してきたが、具体的な構成はこの実施形態に限られるものではなく、この発明の要旨を逸脱しない範囲の設計等も含まれる。
【符号の説明】
【００４９】
１０…決済端末、１１０…第１部位、１１１…第１面、１１５…上端部、１１６…下端部、１１８…端面、１２１…入力部、１２２…第１表示部、１２３…底部、１５０…第２部位、１５１…第２面、１５５…上端部、１５６…下端部、１５８…端面、１６１…第２表示部、１６３…底部、１８０…回動部、１９１…載置面
【図１】
2020154781.tif 000003
【図２】
2020154781.tif 000004
【図３】
2020154781.tif 000005
【図４】
2020154781.tif 000006
【図５】
2020154781.tif 000007
【図６】
2020154781.tif 000008
【図７】
2020154781.tif 000009